(57)【要約】      （修正有）【課題】粉末洗剤が凝結固化しても容器外部より揉みほぐすことで容易にもとの粉末状に戻せる粉末洗剤収納パウチ容器を提供する。【解決手段】柔軟性シートで形成される底部２６と、底部２６を挟み周縁が閉じられた柔軟性シートで形成される一対の表裏面シート２３Ａ、２３Ｂと、表裏面シート２３Ａ、２３Ｂの縁部２４に保持された粉末洗剤の取り出し口２５と、取り出し口２５を覆うキャップ２７とを備えた粉末洗剤収納パウチ容器２０であって、粉末洗剤収納パウチ容器２０内に粉末洗剤２１が充填される。【選択図】図１
0003107093.tif 000002
【実用新案登録請求の範囲】
【請求項１】
柔軟性シートで形成される底部と、該底部を挟み周縁が閉じられた柔軟性シートで形成される一対の表裏面シートと、該表裏面シートの縁部に保持された粉末洗剤の取り出し口と、該取り出し口を覆うキャップとを備えた粉末洗剤収納パウチ容器であって、該粉末洗剤収納パウチ容器内に粉末洗剤が充填されたことを特徴とする粉末洗剤収納パウチ容器。
【請求項２】
前記粉末洗剤が重曹であることを特徴とする請求項１記載の粉末洗剤収納パウチ容器。
【請求項３】
前記柔軟性シートはＬＬＤＰＥ（リニヤローデンシティポリエチレン）で形成され、該柔軟性シートの一部又は全てが透明であることを特徴とする請求項１又は請求項２記載の粉末洗剤収納パウチ容器。
【請求項４】
前記柔軟性シートには可塑剤を含まないことを特徴とする請求項１、２又は３記載の粉末洗剤収納パウチ容器。
【考案の詳細な説明】
【技術分野】
【０００１】
本考案は、粉末洗剤収納パウチ容器に係わり、特に粉末洗剤が凝結固化しても容器外部より揉みほぐすことで容易にもとの粉末状に戻せる粉末洗剤収納パウチ容器に関する。
【背景技術】
【０００２】
従来、粉末洗剤の容器としてプラスチック製や紙製の容器が知られている。例えば、図５及び図６に一例を示す。図５は洗剤容器１の側面図であり、図６は洗剤容器１の上面図である。図５及び図６において、洗剤容器１は底部を有する円筒状のプラスチック製容器本体３と、このプラスチック製容器本体３の頭部に突設された図示しない開口部壁とを有し、この開口部壁には周囲に雄ネジが刻設されている。そして、この開口部壁には、開口部壁の雄ネジと螺合される蓋５が配設されている。また、この蓋５にはほぼ中央から周縁に向かって角形状の切り欠き７が設けられており、この切り欠き７を開閉自在に覆う小蓋部９が配設されている。そして、その小蓋部９を開くことにより中の粉体を内部から外部へ出すことができるようになっている。また、この小蓋部９を閉じることによりこの洗剤容器１を密閉することが可能になっている。洗剤容器１内部に収容される粉体は例えば重曹である。
【考案の開示】
【考案が解決しようとする課題】
【０００３】
しかしながら、従来のプラスチック製の洗剤容器１では、台所等の湿度の高い場所に保管された場合、中の粉末洗剤が吸湿などにより固化することがあった。この際には、中身の粉末洗剤を利用され易いように再びほぐす必要があるが、洗剤容器１自体が固いプラスチック製であるため、ほぐすことが困難であった。また、紙製の容器では透湿性があるため、中の粉末洗剤が吸湿したり濡れたりすることで固化する原因となることがあった。
更に、プラスチック及び紙の両素材とも不透明であるために中身の確認に不便を伴うことがあった。
【０００４】
本考案はこのような従来の課題に鑑みてなされたもので、粉末洗剤が凝結固化しても容器外部より揉みほぐすことで容易にもとの粉末状に戻せる粉末洗剤収納パウチ容器を提供することを目的とする。
【課題を解決するための手段】
【０００５】
このため本考案（請求項１）は、柔軟性シートで形成される底部と、該底部を挟み周縁が閉じられた柔軟性シートで形成される一対の表裏面シートと、該表裏面シートの縁部に保持された粉末洗剤の取り出し口と、該取り出し口を覆うキャップとを備えた粉末洗剤収納パウチ容器であって、該粉末洗剤収納パウチ容器内に粉末洗剤が充填されたことを特徴とする。
【０００６】
底部の存在により、重心が粉末洗剤収納パウチ容器の中心より相当程度下側に位置される。従って、粉末洗剤を充填することで容器底部が拡がり自立するようになる。このため、安定した状態で台所等に立て置きすることが可能である。内容物となる粉末洗剤が、湿気により固化した場合であっても、底部及び表裏面シートに柔軟性シートを用いたことで、一度固化した場合であっても容器外部から容易に揉みほぐすことが可能である。
【０００７】
また、本考案（請求項２）は、前記粉末洗剤が重曹であることを特徴とする。  重曹は、主に台所用洗剤として食器等の洗浄に有効であり、食することも可能なものであるため環境に優しい。また、洗剤としても素材をいためず、消臭効果もある。石鹸等の場合には地中に帰るまでに微生物により分解される必要があるが重曹の場合には分解されなくてもよい。地中に溶解しても環境に優しい。
【０００８】
更に、本考案（請求項３）は、前記柔軟性シートはＬＬＤＰＥ（リニヤローデンシティポリエチレン）で形成され、該柔軟性シートの一部又は全てが透明であることを特徴とする。
【０００９】
ユーザは内容物が粉であることを確認でき安心である。
【００１０】
更に、本考案（請求項４）は、前記柔軟性シートには可塑剤を含まないことを特徴とする。
【００１１】
このことにより、粉末洗剤収納パウチ容器は、内容物の残量が少なくなったときでも自立姿勢を維持することが可能である。
【考案の効果】
【００１２】
以上説明したように本考案によれば、柔軟性シートで構成された粉末洗剤収納パウチ容器内に粉末洗剤を充填したので、一度固化した場合であっても容器外部から容易に揉みほぐすことが可能である。また、底部の存在により、容器は下方に向けて拡げられ自立するようになる。重心が粉末洗剤収納パウチ容器の中心より相当程度下側に位置されることで、安定した状態で台所等に立て置きすることが可能である。
【考案を実施するための最良の形態】
【００１３】
以下、本考案の実施形態について説明する。本考案の第１実施形態の正面図を図１に、側面図を図２に、また底面図を図３に示す。図１において、粉末洗剤収納パウチ容器２０は、１００パーセント重曹からなる粉末洗剤２１を収容する容器である。胴部２３は、底部シート２６を挟むようにほぼ四角形に切断された表面シート２３Ａと裏面シート２３Ｂとの２枚が重ね合わされ、縁部２４がヒートシールされた状態になっている。底部シート２６、表面シート２３Ａ、裏面シート２３Ｂは、ＬＤＰＥ或いはＬＬＤＰＥ（リニヤローデンシティポリエチレン）と呼ばれるポリエチレンフィルムシートによって形成されている。
【００１４】
縁部２４の内、底部シート２６の上端点２６ａから下端までの縁部２４ａの部分はヒートシールされずに途中に圧着部２４ｂが形成されている。そして、この圧着部２４ｂは表面シート２３Ａと裏面シート２３Ｂとが開放可能な程度の適当な圧力で圧着されており、縁部２４ａは下端から上端点２６ａまで裂くことが可能なようになっている。
【００１５】
胴部２３の上端縁には、粉末洗剤２１の取り出し口となるスパウト２５の底部２５ａが表面シート２３Ａと裏面シート２３Ｂに挟まれた状態でヒートシールされている。このスパウト２５は、底部２５ａから上方に向けて円筒状に突設された突設部２５ｂを有し、突設部２５ｂの外周には環状部材２５ｃが配設されている。この環状部材２５ｃより上部の突設部２５ｂの周囲には雄ネジが形成されており、内側に雌ネジの形成されたキャップ２７が螺合自在なようになっている。
【００１６】
キャップ２７は、内側に雌ネジの形成された上部キャップ部２７ａとこの上部キャップ部２７ａに対し未使用時には接続されており、使用時には、上部キャップ部２７ａをねじることで分離される下部キャップ部２７ｂとを有する。上部キャップ部２７ａと下部キャップ部２７ｂとは切断可能にキャップ周囲に配設された複数本の線状接続部２９で接続されている。
【００１７】
そして、使用の際に上部キャップ部２７ａをねじることで線状接続部２９の接続は切断されるようになっている。下部キャップ部２７ｂは、環状部材２５ｃの存在により下方への移動が規制されるようになっている。粉末洗剤収納パウチ容器２０は、底部シート２６の存在により、図２の側面図に示すように、図中上方から下方に向かうに連れて胴回りの幅が拡がっており、粉末洗剤２１が下方により多く蓄積されるようになっている。
【００１８】
かかる構成において、粉末洗剤収納パウチ容器２０には純重曹からなる粉末洗剤２１が収納されている。この純重曹は、主に台所用洗剤として食器等の洗浄に有効であり、食することも可能なものであるため環境に優しいものである。また、洗剤としても素材をいためず、消臭効果もある。洗剤として石鹸等を使用した場合には、地中に帰るまでに微生物により分解される必要があるが、重曹の場合には分解されなくてもよい。重曹は地中に溶解しても環境に優しい。
【００１９】
この粉末洗剤２１は粉末洗剤収納パウチ容器２０の胴部形状により下方に多く存在するため、重心が粉末洗剤収納パウチ容器２０の中心より相当程度下側にある。従って、粉末洗剤２１を充填することで図２の側面図に示すように容器底部が拡がり自立するようになる。このため、安定した状態で台所等に立て置きすることが可能である。
【００２０】
使用に際しては、上部キャップ部２７ａをまずねじる。このことにより、上部キャップ部２７ａと下部キャップ部２７ｂとを接続していた線状接続部２９は切断され、上部キャップ部２７ａは突設部２５ｂから離脱可能となる。一方、下部キャップ部２７ｂは突設部２５ｂに残される。縁部２４ａは、必要に応じて裂くことで、粉末洗剤収納パウチ容器２０はより一層安定して立て置きすることが可能である。この際には圧着部２４ｂは分離される。
【００２１】
また、この粉末洗剤収納パウチ容器２０の底部シート２６、表面シート２３Ａ、裏面シート２３Ｂには、ＬＤＰＥ或いはＬＬＤＰＥを使用し、可塑剤を含まない。このため、粉末洗剤収納パウチ容器２０は、内容物の残量が少なくなったときでも自立姿勢を維持することが可能である。
【００２２】
内容物となる純重曹は粒子が四角い粒状であり、湿気により固化しやすい物質である。台所等の湿気の多い場所に置かれる場合においては特に固化しやすい傾向にある。しかし、容器の素材にポリエチレンフィルムという柔らかい素材を用いたことで、一度固化した場合であっても重曹を粉末洗剤収納パウチ容器２０の外部から容易に揉みほぐすことが可能である。なお、容器の素材として、このポリエチレンフィルム以外にナイロン、ポリプロピレン、ポリエステル等が用いられてもよい。
【００２３】
また、この粉末洗剤収納パウチ容器２０の素材全てに食品容器としても使用可能なグレードのものを使用することで、この粉末洗剤収納パウチ容器２０の内容物である重曹を料理にも使用することが可能となる。
更に、ポリエチレンフィルムで構成された粉末洗剤収納パウチ容器２０は、一部若しくは全部を透明にできるため、ユーザは内容物が粉であることを確認でき安心である。
なお、粉末洗剤収納パウチ容器２０への重曹の充填に際しては、キャップ２７が存在しない状態でストローを挿入し、このストローを通じて重曹が充填される。
【００２４】
次に、本考案の第２実施形態について説明する。
本考案の第２実施形態の正面図を図４に示す。なお、図１〜図３と同一要素のものについては同一符号を付して説明は省略する。
本考案の第２実施形態は、第１実施形態が胴部２３の上端縁に粉末洗剤２１の取り出し口となるスパウト２５が配設されていたのに対し、スパウト２５が粉末洗剤収納パウチ容器３０の斜め上部に配設されている点で相違する。
胴部３３の表面シート３３Ａと裏面シート３３Ｂとは、共に図４中、四角形の上部左端の一辺（傾斜辺縁３３ａ）が斜めにカットされた状態でヒートシールされている。そして、この傾斜辺縁３３ａにはスパウト２５が表面シート３３Ａと裏面シート３３Ｂの間に装着されている。
このことにより、第１実施形態と同様の効果が得られる他に、ユーザは洗剤収納パウチ容器３０から、より一層洗剤を取り出しやすくなる。
【図面の簡単な説明】
【００２５】
【図１】本考案の第１実施形態の正面図
【図２】側面図
【図３】底面図
【図４】本考案の第２実施形態の正面図
【図５】洗剤容器の側面図
【図６】洗剤容器の上面図
【符号の説明】
【００２６】
２０、３０  粉末洗剤収納パウチ容器
２１  粉末洗剤
２３、３３  胴部
２３Ａ、３３Ａ  表面シート
２３Ｂ、３３Ｂ  裏面シート
２４  縁部
２５  スパウト
２６  底部シート
２７  キャップ
【図１】
0003107093.tif 000003
【図２】
0003107093.tif 000004
【図３】
0003107093.tif 000005
【図４】
0003107093.tif 000006
【図５】
0003107093.tif 000007
【図６】
0003107093.tif 000008